(57)【要約】【課題】ノズル情報を検索するにあたり、単位換算に伴う煩雑な作業をする必要のないノズル情報検索システムを提供すること。【解決手段】ノズルメーカー各社のカタログ情報を記憶したデータベース１１ｂと、ユーザー１２がノズル検索画面を介して入力した特性値に基づいて、データベース１１ｂを検索するためのデータベース検索手段と、検索結果をユーザーのコンピュータ画面に表示させるための表示データを生成する表示データ生成手段と、ユーザーが入力した入力値の単位が、カタログに表示されている単位と異なる場合に、両者の単位が同じになるように単位を換算する単位換算手段とを備え、データベース検索手段は、単位換算手段による換算結果に基づいてデータベース１１ｂを検索するように構成され、かつ、表示データを生成するにあたり、ユーザーが検索結果表示画面を介して、表示すべき単位を選択できるように構成した。【選択図】    図２
2004199448.tif 000002
【特許請求の範囲】
【請求項１】
ノズルメーカー各社のノズルカタログ情報を記憶したデータベースと、
ノズルユーザーがノズル検索画面を介して入力した特性値に基づいて、前記データベースを検索するためのデータベース検索手段と、
検索結果をノズルユーザーのコンピュータ画面に表示させるための表示データを生成する表示データ生成手段と、
ノズルユーザーが入力した特性値の単位が、ノズルカタログに表示されている単位と異なる場合に、両者の単位が同じになるように単位を換算する単位換算手段とを備え、
前記データベース検索手段は、単位換算手段による換算結果に基づいて前記データベースを検索するように構成され、かつ、
前記表示データを生成するにあたり、ノズルユーザーが検索結果表示画面を介して、表示すべき単位を選択できるように構成したことを特徴とするノズル情報検索システム。
【請求項２】
前記データベースは、ノズルカタログに記載されている単位に基づいて構築されていることを特徴とする請求項１に記載のノズル情報検索システム。
【請求項３】
最初の検索結果表示画面には、ノズルカタログに記載されている単位で表示がされるように、前記表示データが生成されることを特徴とする請求項１又は２に記載のノズル情報検索システム。
【請求項４】
表示すべき単位を選択することで、各ノズルメーカーの表示されている単位を一括して換算できるように、前記表示データが生成されることを特徴とする請求項１〜３のいずれか１項に記載のノズル情報検索システム。
【請求項５】
最初の検索結果表示画面において、単位を一括変換するための単位選択部には、ノズルユーザーがノズル検索画面で入力した単位が視認できるように、前記表示データが生成されることを特徴とする請求項４に記載のノズル情報検索システム。
【請求項６】
前記検索結果表示画面には、検索されたノズルのメーカー及び型番を含むノズル情報が一覧表の形で表示され、そのうちの特定の型番を選択することで、当該型番のノズルの詳細情報を表示させるように、前記表示データが生成されることを特徴とする請求項１〜５のいずれか１項に記載のノズル情報検索システム。
【請求項７】
前記詳細情報として、圧力・流量特性表を表示させるようにし、かつ、単位換算もできるように構成したことを特徴とする請求項６に記載のノズル情報検索システム。
【請求項８】
前記詳細情報として、圧力・噴射角度特性表を表示させるようにし、かつ、単位換算もできるように構成したことを特徴とする請求項６又は７に記載のノズル情報検索システム。
【請求項９】
請求項１〜８のいずれか１項に記載のノズル情報検索システムをサーバーに実行させるためのノズル情報検索プログラムであって、
ノズルユーザーがノズル検索画面を介して入力した入力値に基づいて、ノズルメーカー各社のノズルカタログ情報を記憶したデータベースを検索する処理と、
検索結果をノズルユーザーのコンピュータ画面に表示させるための表示データを生成する処理と、
ノズルユーザーが入力した入力値の単位が、ノズルカタログに表示されている単位と異なる場合に、両者の単位が同じになるように単位を換算する処理とを実行し、
前記データベース検索処理においては、単位換算処理の結果に基づいて前記データベースを検索し、かつ、
前記表示データを生成するにあたり、ノズルユーザーが検索結果表示画面を介して、表示すべき単位を選択できるようなデータ生成処理を実行することを特徴とするノズル情報検索プログラム。
【発明の詳細な説明】
【０００１】
【発明の属する技術分野】
本発明は、インターネット等のネットワークを利用してノズルカタログ情報を検索するためのノズル情報検索システム及び検索プログラムに関する。
【０００２】
【従来の技術】
高圧水等の流体を噴出する場合に用いるノズルを入手したいユーザーは、ノズルメーカー数社のノズルカタログの中から、自分の要求する仕様に合致したノズル情報を手作業で探している。かかる実状に鑑みて、本願出願人は、ネットワーク上に設置されるサーバーに、各ノズルメーカーのノズルカタログ情報に基づいてデータベースを構築し、ノズルユーザーがこのサーバーにアクセスすることでノズル情報を得ることのできるノズル情報検索システムを提案した（特願２００１−１７５８２２：先願未公知）。
【０００３】
ところで、ノズルカタログには流量や圧力等の種々の特性値が記載されているが、単位がメーカー間によって統一されていない。例えば、圧力の単位としては、ＭＰａ、ｂａｒ、ｋｇ／ｃｍ2 等があるが、メーカーによってカタログに使用されている単位が異なる。一方、ノズル情報を検索するユーザーとしては、検索するにあたり、希望する特性値を入力する必要がある。しかし、ノズルカタログに記載されている単位を入力しなければならないとすると、単位換算を行って特性値の入力を行う必要がある。また、検索結果を表示画面に表示させた場合も、各ノズルメーカーの使用している単位で特性値を表示すると、単位がまちまちでメーカー間の比較を簡単に行うことができない。そこで、この場合も、ノズルユーザーは、単位換算を行って単位を揃えた上で、検索結果の評価を行なう必要がある。しかし、電卓や手計算で単位換算をしなければならないので、極めて煩雑である。また、換算係数を知らなければ、単位換算ができない。さらに、計算間違いをする可能性もある。
【０００４】
一方、単位換算を行う手段として、下記の非特許文献１（Ｗｅｂサイト）が知られている。これによると、特定の単位を選択して数値を入力し、変換したい単位を選択することで、単位換算を行うことができる。単位換算は、コンピュータプログラムにより演算されるので、計算間違いと言う問題はない。
【０００５】
【非特許文献１】
エスペック株式会社、”単位換算”、［平成１４年１０月２１日検索］、インターネット＜ＵＲＬ：http://www.espec.co.jp/unitconversion.html＞
【発明が解決しようとする課題】
しかしながら、上記の単位換算手段は、単に電卓的に使用できるのみ（計算そのものは正確になる）であって、煩雑さが若干軽減されるに過ぎないものである。これをノズル情報検索システムと組み合わせて使用したとしても、単位換算が煩雑であることには変わりがない。すなわち、 ノズルカタログを検索する場合や、検索した結果を表示して比較検討を行う場合の両方において、単位換算が必要となるからである。さらに、検索結果、数多くの型番のノズルが抽出された場合に、その煩雑さは顕著になる。すなわち、 １件１件、換算しなければならないからである。従って、検索された結果を評価するのに、膨大な時間を費やす必要も生じる。
【０００６】
本発明は上記実情に鑑みてなされたものであり、その課題は、ノズル情報を検索するにあたり、単位換算に伴う煩雑な作業をする必要のないノズル情報検索システム及び検索プログラムを提供することである。
【課題を解決するための手段】
上記課題を解決するため本発明に係るノズル情報検索システムは、
ノズルメーカー各社のノズルカタログ情報を記憶したデータベースと、
ノズルユーザーがノズル検索画面を介して入力した入力値に基づいて、前記データベースを検索するためのデータベース検索手段と、
検索結果をノズルユーザーのコンピュータ画面に表示させるための表示データを生成する表示データ生成手段と、
ノズルユーザーが入力した入力値の単位が、ノズルカタログに表示されている単位と異なる場合に、両者の単位が同じになるように単位を換算する単位換算手段とを備え、
前記データベース検索手段は、単位換算手段による換算結果に基づいて前記データベースを検索するように構成され、かつ、
前記表示データを生成するにあたり、ノズルユーザーが検索結果表示画面を介して、表示すべき単位を選択できるように構成したことを特徴とするものである。
【０００７】
このシステムは、ノズルメーカー各社のノズルカタログ情報を記憶したデータベースを備えており、ノズルユーザーは、このデータベースを検索することができる。検索は、ユーザーのコンピュータ画面に表示される検索画面を介して行うが、検索のパラメータとしてノズル特性値を入力する。ノズル特性値とは、流量、圧力、噴射角度等の物理量である。これら物理量を表わす単位は１つではなく、複数ある。例えば、圧力の単位として、ＭＰａ，ｂａｒ、ｋｇ／ｃｍ2 等がある。ユーザーは、複数ある単位のうち、特定の単位を選択して入力する。この入力された特性値の単位は、データベースに記憶されている特性値の単位と同じとは限らない。そこで、単位換算手段が両者の単位が同じになるように換算処理を行う。従って、ノズルユーザーは、自分の好みの単位で入力すれば良く、単位換算のための計算作業は必要ない。
【０００８】
データベースの検索が終了すると、検索結果をノズルユーザーのコンピュータ画面に表示させるための表示データを生成する。この表示画面において、表示されているノズル特性値の単位を選択できるようにする。従って、表示画面において、各社の比較評価を行いにくい時には、単位を選択して単位換算を行うことで、比較評価を行いやすくすることができる。単位換算は、単位換算手段の機能に基づいて行うことができる。その結果、ノズル情報を検索するにあたり、単位換算に伴う煩雑な作業をする必要のないノズル情報検索システムを提供することができた。
【０００９】
本発明の好適な実施形態として、前記データベースは、ノズルカタログに記載されている単位に基づいて構築されているものがあげられる。
【００１０】
ノズルカタログに記載されている特性値をデータベース化するにあたり、特定の単位に統一した形でデータを入力するという方法もある。しかし、それでは実際にカタログに記載されている数値とは、異なった数値でデータベースに格納させることになるので好ましくない。ノズルカタログに記載されている単位をそのまま使用することで、ノズルメーカーの意図を反映した正確なデータベースを提供することができる。
【００１１】
本発明の別の好適な実施形態として、最初の前記検索結果表示画面には、ノズルカタログに記載されている単位で表示がされるように、前記表示データが生成されるものがあげられる。
【００１２】
最初の検索結果表示画面として、カタログ記載の単位で表示することで、ノズルカタログの記載内容を反映した検索結果とすることができる。ユーザーは、他の単位で表示させたいときに、単位を選択すればよい。これにより、単位換算を行った検索結果表示画面とすることができ、比較判断を容易にすることができる。
【００１３】
本発明の別の好適な実施形態として、表示すべき単位を選択することで、各ノズルメーカーの表示されている単位を一括して換算できるように、前記表示データが生成されるものがあげられる。
【００１４】
メーカー毎、あるいは、個々のノズル製品毎に、表示すべき単位を選択するような構成も考えられるが、一括で換算できるようにすれば、効率良く単位換算を行うことができる。
【００１５】
本発明の別の好適な実施形態として、最初の検索結果表示画面において、単位を一括変換するための単位選択部には、ノズルユーザーがノズル検索画面で入力した単位が視認できるように、前記表示データが生成されるものがあげられる。
【００１６】
これにより、ユーザーは、自分の選択した単位を直ちに認識できる。また、単位選択部で自分の選択した単位を選択して単位換算する場合、単位換算を効率良く行うことができる。
【００１７】
本発明の更に別の好適な実施形態として、前記検索結果表示画面には、検索されたノズルのメーカー及び型番を含むノズル情報が一覧表の形で表示され、そのうちの特定の型番を選択することで、当該型番のノズルの詳細情報を表示させるように、前記表示データが生成されるものがあげられる。
【００１８】
検索結果表示画面には、メーカーと型番を含むノズル情報が一覧表の形で表示される。これにより、検索されたメーカーとノズルの型番を一目で認識することができる。また、一覧表においては必要最小限な情報を取り上げるようにし、特定の型番のノズルについての更に詳細な情報を知りたい場合には、当該型番のノズルを選択（例えば、画面上の特定箇所をクリックする）すればよい。これにより、詳細情報を知ることができる。
【００１９】
本発明の更に別の好適な実施形態として、前記詳細情報として、圧力・流量特性表を表示させるようにし、かつ、単位換算もできるように構成したものがあげられる。
【００２０】
圧力・流量特性表とは、圧力と流量の関係を示す表である。これは、カタログに記載されている表であり、ノズルの特性を示す重要なデータでもある。この特性表に示される圧力と流量の単位は、ユーザーが入力した単位とは異なることもあるので、単位換算ができるように構成する。これにより、ユーザーフレンドリーな検索システムとすることができる。さらに、前記詳細情報として、圧力・噴射角度特性表を表示させるようにし、かつ、単位換算もできるように構成することが好ましい。圧力・スプレー角度特性表も、ノズルの特性を表わす重要なデータであるからである。
【００２１】
本発明に係るノズル情報検索システムは、サーバーにインストールされるノズル情報検索システムにより構築することができる。
【００２２】
【発明の実施の形態】
本発明に係るノズル情報検索システムの好適な実施形態を図面を用いて説明する。図１はＩＰネットワークの構成を示す概念図である。
【００２３】
ノズル情報検索システム１の中核は、Ｗｅｂサーバ１０及びデータベースサーバー１１からなるサーバーシステムにより構成される。Ｗｅｂサーバ１０は、ファイアーウォール２及びルーター３を介してインターネットに接続される。ノズル情報検索システム１を管理する管理端末４（パソコン）は、ハブ５を介してファイアーウォール２に接続される。データベースサーバー１１もハブ５に接続される。Ｗｅｂサーバ１０には、ノズルユーザーに対して検索システムを提供するための種々のＷｅｂページが格納されている。また、ノズル情報を検索したり表示をするための各種のプログラムも格納されている。データベースサーバー１１には、世界のノズルメーカー各社のノズルカタログ情報がデータベース化されている。
【００２４】
ノズル情報検索システムを管理する管理会社内においても、管理端末６が設けられ、ハブ７、ファイアーウォール８、ＡＤＳＬモデム９を介してインターネットに接続される。ハブ７には、プリンタも接続されている。
【００２５】
ノズルユーザー及びノズルメーカーは、それぞれ端末（パソコン）１２，１３を用いて、ノズル情報検索システム１にアクセスすることができ、会員登録することでサービスの提供を受けることができる。
【００２６】
＜システムの構成＞
図２は、システムの構成を示す概念図である。ノズル情報検索システム１は、ノズル情報管理機能、ユーザー情報管理機能、メーカー情報管理機能、検索ログ・課金情報管理機能、システム保守管理機能等の各種機能を有する。データベースサーバー１１に構築されるデータベースとして、ユーザー情報を登録しておくユーザーデータベース１１ａ、ノズルカタログに記載されているノズル情報を登録しておくノズル情報データベース１１ｂ、課金情報・閲覧ログデータベース１１ｃ等がある。システム１において、前述した各種機能を実現するために、ＡＳＰに基づいた検索プログラムが提供される。
【００２７】
ノズルユーザー１２とシステム１とは、インターネットを介して接続される。ユーザー１２は、システム１にアクセスし、自分の要求するノズルの条件を入力することで、ノズル情報を検索することができる。システム１からは、商品（ノズル）情報や技術情報が提供される。ユーザー１２は、システム１からサービスの提供を受けるために会員登録を行い、サービスの利用程度に応じた支払いを決済機関１４を介して行う。また、商品購入をした場合の支払いも同様である。
【００２８】
ノズルメーカー１３もインターネットを介してシステム１に接続される。ノズルメーカー１３は、システム１を介してユーザー情報や商談情報を得ることができる。ノズルメーカー１３は会員登録することで、ノズルカタログに記載されている商品情報をデータベースに登録することができる。すなわち、 メーカー１３は、システム１を介して不特定多数のユーザー１２に商品情報・技術情報を提供することができる。メーカー１３は、ユーザーとの商談が成立した場合は、管理会社を介して商品の発送を行い、代金の支払いも管理会社を介して行われる。
【００２９】
管理会社６は、システム１の保守管理を行う。メーカー１３への発注処理は、システム１を介して管理会社から行われる。管理会社６とシステム１とは、エクストラネットにより接続されている。
【００３０】
＜機能ブロック構成＞
次に、ノズル情報検索システム１の機能ブロックを図３により説明する。送受信部２０は、データの送受信を行う機能を有する。例えば、ユーザーやメーカーからのアクセス要求信号を受け取り、アクセス内容に応じたデータを送り返す。データ処理部２１は、送受信部２０を介して受け取ったデータに基づいて処理を実行する。例えば、ホームページの閲覧要求であれば、指定されたＵＲＬに対応したホームページ（Ｗｅｂページ）のデータ（ＨＴＭＬデータ）を送り返す。データベースの検索要求であれば、指定された条件にしたがってデータベース１１を検索するようにデータベース検索手段２２に指令を与える。データベース検索手段１１は、データ処理部２１からの指令内容に基づいて、指定されたデータベース１１の検索を行い、検索結果をデータ処理部２１に送り返す。
【００３１】
データ処理部２１は、種々のデータ処理を行うものであるが、そのうちの重要な機能として、単位換算手段２１ａと表示データ生成手段２１ｂがある。単位換算手段２１ａは、ユーザーから送信されてくる単位換算指令信号に基づいて、指定された特性値（物理量）の単位を換算する機能を有する。
【００３２】
表示データ生成手段２１ｂは、データ処理した結果をＨＴＭＬデータ（表示データに相当）に変換し、ユーザー側へ送り返す。システム１からＨＴＭＬデータを受け取ったユーザーは、コンピュータ画面において処理された結果を視認することができる。例えば、データベース検索手段２２による検索結果に基づいて、表示データを生成し、これをユーザーに送り返す。ユーザーはブラウザの機能を利用して、検索結果を見ることができる。また、単位換算結果に基づいて表示データを生成し、これをユーザーに送り返す。
【００３３】
＜Ｗｅｂページの構成＞
次に、ノズル情報検索システムの作用、及び、Ｗｅｂページの画面構成等について説明する。図４は、ノズル情報の検索を行う場合の概略手順を示すフローチャートである。ノズルユーザーがシステムを利用するためには、システムにアクセスする必要がある。そのため、ユーザーはパソコンのブラウザを立ち上げ、ＵＲＬを指定することでアクセスできる。パソコン画面には、システムを管理する管理会社のホームページが表示される。このホームページ（＃１）を介して、種々のノズル情報についてのＷｅｂページを閲覧することができる。ここでは、本発明と関連する部分を中心に説明する。
【００３４】
検索システムを利用するためには、予め会員登録をしておく必要がある。会員登録を行うためには、それ専用のＷｅｂページに移行する（＃２）。会員登録をやり方については、インターネットにおいて行われている周知の手順により行うことができる。会員登録により、ＩＤとパスワードを取得する。
【００３５】
会員登録を行った後、会員ログイン画面に移行する（＃３）。この画面にて、取得したＩＤとパスワードを入力する。ＩＤとパスワードの入力ミスがあると、ログインエラーとなり（＃４）、入力しなおすか、ＩＤとパスワード忘れ救済処理を行う（＃５）。会員ログインに成功すると、代金決済画面が現われる（＃６）。ユーザーは、システムの利用に先立ち所定の代金決済を行う。代金決済処理が終了した後、ユーザーは、ノズル情報検索システムを利用することができる。
【００３６】
図４に示すように、検索に先立ち検索パターンを選択する（＃７）。検索パターンには、大きく分けてノズル型番検索と、ノズル仕様検索とがある。ノズル型番検索とは、検索条件に合致したノズルの型番を抽出する検索方法であり、スタンダード検索と、エキスパート検索とがある。スタンダード検索では、概略の検索条件を入力することで広範囲のノズル型番を検索できる。エキスパート検索では、精度の高い検索方法であり、圧力や流量等の検索条件を詳細に入力する。ノズル仕様検索は、完全なノズル型番を入力することで、そのノズルについての詳細仕様を検索するものである。なお、以下の説明においては、ノズル型番検索のエキスパート検索について説明する。
【００３７】
検索パターンを入力した後、型番検索画面に移行し、検索条件を入力する（＃８）。ノズル検索画面の構成例の一部を図５に示す。検索条件は、ステップ１〜４の４段階であるが、図５には、ステップ４についての検索画面を示している。
【００３８】
検索条件のステップ１では、検索条件としてノズルの分類を選択する。ノズルの分類として、例えば、液体用ノズル、（液体＋気体）用ノズル、気体用ノズル、蒸気用ノズル、回転ノズル、噴霧装置等がある。これらの中からいずれか１つを選択する。ステップ２では、スプレー方向（流入方向）を選択する。例えば、軸芯方向（液体がノズル後部より流入し、軸芯方向に噴射する）、直角方向（液体がノズル後部より流入し、直角方向に噴射する）である。なお、スプレー方向を指定しないこともできる。
【００３９】
ステップ３として、スプレーパターンを選択する。例えば、ＦＣ（スプレーパターン断面が充円形状のノズル）、ＦＦ（スプレーパターン断面が扁平状のノズル）、ＬＦＦ（横向きに噴霧してスプレーパターン断面が扁平状のノズル）、ＭＳＪ（ノズル先端部に多孔のオリフィスを持つノズル）がある。なお、指定しないこともできる。
【００４０】
図５により、ステップ４のノズル仕様の条件入力を説明する。ステップ１〜３については、既に検索条件を入力済みであり、その内容が画面上方に示されている。なお、ステップ１〜３についての検索条件の変更も可能である。
【００４１】
ノズル仕様として、メーカー、バルブ機能の有無、フィルターの有無、オリフィス部材質、取付ネジを入力する。なお、これらは指定しないこともできる。次に、異物通過径、気体圧力、噴射気体流量、スプレー角度（これらは、特性値に相当する）を入力する。異物通過径を入力する場合は、数値と共に単位も選択する。気体圧力の場合も、数値と共に単位を入力する。噴射気体流量の場合は、数値の中心値と幅値の両方を入力し、単位を選択する。スプレー角度は、数値の中心値と幅値の両方を入力する。単位は、゜（度）のみで固定されているが、他の単位（ｒａｄ等）を選択できるようにしてもよい。
【００４２】
異物通過径は、ノズルカタログに表記されている単位（ｍｍ，ｉｎｃｈ）が、メーカーによって異なっている。また、ユーザーによっても、普段扱っている単位が異なっている。そこで、検索をするユーザーの便宜を図るため、単位を選択できるように構成している。単位は、プルダウン・メニューの形で表示され、その中の１つを選択する。
【００４３】
気体圧力についても、メーカーによりノズルカタログに表記されている単位が、ＭＰａ，ｂａｒ，ｋｇ／ｃｍ2 等があるので、同様に選択できるようにしている。噴射気体流量についても、ｌ／ｍｉｎ，ＧＰＨ等があるので、選択できるようにしている。ユーザーは、ノズルカタログに表記されている単位を意識する必要はなく、自分が使い慣れている単位を選択すればよい。以上のように、検索条件を全て入力し終わると、検索開始ボタンをクリックすれば、検索が開始される（図４の＃８，９）。
【００４４】
検索開始ボタンのクリックにより、その信号がＷｅｂサーバ１０に送信される。データベース検索手段２２の機能に基づいて、ノズル情報データベース１１ｂを検索する。ここで、ユーザーの選択した単位と、データベース１１ｂに登録されているノズルカタログの単位とが異なっている場合がある。その場合は、単位換算手段２１ａにより単位換算を行い、単位を合わせた形で検索をする。かかる機能を有していることにより、ユーザーは検索するにあたり、単位換算のための計算を行なう必要はなく、効率良く検索を行うことができる。検索が終了すると、表示データ生成手段２１ｂの機能により検索結果を表示させるためのデータを生成して、ユーザーのパソコンに送り返す。なお、入力した検索条件では、該当するノズル型番が見つからなかった場合や、抽出されたノズル型番の数が多すぎる場合は、検索エラー表示をさせる（＃１０）。検索エラー表示用の表示データは、予め、Ｗｅｂページ格納部２２に格納されている。
【００４５】
正常に検索が行われた場合は、検索結果がユーザーのパソコン画面に検索結果一覧表として表示される（＃１１）。これを図６，図７に示す。図６は、パソコン画面の上部に表示される、ユーザーの入力した検索条件を示す。これにより、検索条件の確認もあわせて行うことができる。検索条件を変えてもう一度検索しなおすときは、図６の各ステップナンバーをクリックすれば、そのステップについて検索条件の変更を行うことができる。
【００４６】
図７は、検索結果の一覧表（初期画面＝単位換算や並べ替え設定を行う前の画面、最初の検索結果表示画面に相当する。）を示す図である。一覧表には、検索されたノズルのメーカー名、ノズル型番が示されており、圧力・流量等の特性値も表示される。この一覧表において圧力と流量の表示単位は、カタログに記載されている単位が表示される。これは、カタログ記載の単位を尊重するためであり、ノズル情報データベース１１ｂも，ノズルカタログに記載されている単位に基づいて構築するようにしている。従って、ユーザーが検索条件において、圧力の単位をＭＰａで選択したとしても、ノズルカタログに、ｂａｒやｋｇ／ｃｍ2 で表記されている場合は、ｂａｒやｋｇ／ｃｍ2 で表示する。
【００４７】
しかし、ユーザーにとっては、一覧表に種々の単位が混在していると、比較判断が難しい。数値を比較するためには、単位を揃える必要があり、換算のための計算が必要だからである。そこで、検索結果表示画面において、単位選択の機能を付与している。そこで、圧力と流量については、単位選択できるようにしている。そのため、圧力の単位選択部３０ａと▽ボタン３０ｂ、流量の単位選択部３１ａと▽マーク３１ｂとが設けられている。▽ボタン３０ｂをクリックすると、選択可能な圧力の単位がプルダウン・メニューで表示される。ユーザーは、表示されている単位のいずれか１つを選択する。この選択動作により、単位選択信号がＷｅｂサーバ１０に送信される。そして、単位換算手段２１ａの機能に基づいて、表示されているすべての圧力値について、圧力の単位を選択した単位に換算する。ついで、単位換算した結果の一覧表を表示させるための表示データを生成し、ユーザーのパソコンに送り返し、パソコン画面に表示させる。単位としてＭＰａを選択した場合は、一覧表に表示されているＭＰａ以外の単位の数値は、全て一括してＭＰａに変換される。これにより、一覧表に表示されている、全てのノズル型番について、単位がＭＰａとなるので、ユーザーは比較判断を行いやすくなる。流量の単位についても同様である。
【００４８】
なお、単位換算を行った後に、最初の検索結果表示画面（カタログ表記の単位で表示した画面) に戻すことも可能である。
【００４９】
また、図７に示すように、最初の検索結果表示画面において、単位選択部３０ａ，３１ａには、夫々ＭＰａ，ｌ／ｍｉｎが見えている。これらは、ユーザーが検索条件入力画面（図５）において選択した単位である。選択しなかった他の単位については、前述したようにプルダウン・メニューにて表示される。このように、選択した単位を画面上で見せることで、ユーザーは自分の選択した単位を確認できる。さらに、画面上に見えている単位を選択すれば、単位換算を直ちに行うことができるので効率がよい。
【００５０】
検索した結果、表示すべきノズル型番の数が多い場合は、複数ページにより一覧表が構成される。他のページを見たい場合や、前後のページを見たい場合は、ページ選択部３２の適宜の箇所をクリックすればよい（＃１２）。
【００５１】
図７の一覧表において、ノズル型番はメーカーの順番に並んでいるが、他の項目に着目して並べ替えを行うことができる。そのため昇順設定部３３を設けている。例えば、圧力や流量の数値の大きい順に並べ替えを行うことができる。また、昇順ではなく降順に並べ替えもできる。単位換算をした後に数値の大きさの順に並べ替えを行うことで、比較検討を容易に行うことができる。
【００５２】
＜詳細情報＞
次に、詳細情報について説明する。図７に示す一覧表には、ノズル型番、メーカー名、代表的な特性値等のごく一部の情報しか表示されていない。そこで、各ノズル型番のノズルについて、更に詳細な情報を知りたい場合は、ノズル型番が表示されている箇所をクリックすればよい。これにより、図８，図９に示すような、選択したノズルの詳細情報を見ることができる（＃１３）。便宜上２つの図に分けているが、実際には、１つの画面に図８，９に示す内容が表示される。
【００５３】
図８において、ノズル型番、メーカー名、国籍等の詳細情報が表示される。また、そのメーカーのホームページのＵＲＬも表記されている。このＵＲＬをクリックすることで、そのノズルメーカーのホームページを見ることもできる。
【００５４】
ノズルの耐熱温度は、゜Ｃと゜Ｆとが併記される。ノズルカタログに記載されている単位は、いずれかの一方であるが、ユーザーの便宜を図るため、両方の単位を併記している。オリフィス径と異物通路径についても同様である。ノズルの重量については、カタログ表示の単位（Ｋｇ）と共に、それ以外の単位については、単位を選択できるようにしている。温度と長さの場合は、カタログで使用されている単位は２種類しかないが、重量の場合は３種類以上あるので、ユーザーが選択できるようにしている。
【００５５】
図９は、カタログに記載されている、圧力・流量特性表、圧力・スプレー角度特性表である。カタログ値と共に、単位換算値も表示できるようにしている。単位換算を行う場合の手順は、図７の一覧表の場合と同様である。また、単位選択部３４に見えている単位（ＭＰａ，ｌ／ｍｉｎ）についても、検索条件入力画面でユーザーが選択した単位が見えるようにしている。
【００５６】
また、詳細情報には、実際のカタログ画像３５がサムネイル画像として表示されている。カタログ画像を拡大して見たい場合は、見たいカタログページのサムネイル画像をクリックすればよい（＃１４，１５）。なお、カタログ画像については、ノズル情報データベース１１ｂに格納されている。
【００５７】
詳細情報の表示画面から脱出する場合は、前ページボタンをクリックすれば検索結果一覧表の画面に戻る。新たに検索をする場合は、「検索方法」の選択ページボタンをクリックする（＃１３）。
【００５８】
＜単位換算表＞
次に、単位換算表について説明する。図５、図６の画面において、単位換算表ボタンをクリックすると、図１０に示すような単位換算ページに移行する。単位換算ページでは、ノズルに関してよく使用される単位を換算できる。また、ノズル独特の換算として、実際にスプレーする液体流量を水流量へ（その逆も）換算することができる。
【００５９】
＜別実施形態＞
（１）システムを構成するサーバーについては、図１のものに限定されるものではない。機能を分散して負荷を軽減するために、更に数多くのサーバーを設けてもよい。ネットワークの形態は、有線・無線等に限定されるものではない。インターネットではなく、閉じたネットワークであってもよい。
【００６０】
（２）検索結果表示画面の構成は、図６、図７の構成例に限定されるものではない。その他の画面構成も同様である。
【図面の簡単な説明】
【図１】ＩＰネットワークの構成を示す概念図
【図２】システムの構成を示す概念図
【図３】システムの機能ブロック構成を示す図
【図４】ノズル情報の検索を行う場合の概略手順を示すフローチャート
【図５】ノズル検索画面の構成例を示す図
【図６】検索結果を示す図
【図７】検索結果を示す図（一覧表)
【図８】詳細情報表示画面の構成例
【図９】詳細情報表示画面の構成例
【図１０】単位換算ページの表示画面の構成例
【符号の説明】
１０      Ｗｅｂサーバ
１１      データベースサーバー
１１ｂ    ノズル情報データベース
２１      データ処理部
２１ａ    単位換算手段
２１ｂ    表示データ生成手段
２２      データベース検索手段
３０ａ，３１ａ      単位選択部
２３      Ｗｅｂページ格納部
【図１】
2004199448.tif 000003
【図２】
2004199448.tif 000004
【図３】
2004199448.tif 000005
【図４】
2004199448.tif 000006
【図５】
2004199448.tif 000007
【図６】
2004199448.tif 000008
【図７】
2004199448.tif 000009
【図８】
2004199448.tif 000010
【図９】
2004199448.tif 000011
【図１０】
2004199448.tif 000012